(57)【特許請求の範囲】
【請求項１】
３次元フィルムシアターであって、
シアター内に配置された左側スクリーン、上記左側スクリーンと離されている中央スクリーン、及び上記中央スクリーンと離されている右側スクリーンと、
風景要素を含む映像をそれぞれ上記左側、中央、及び右側スクリーン上に同時に投影するために、上記シアター内に配置された第１、第２、及び第３のフィルムプロジェクタと、
上記左側スクリーンと上記中央スクリーンとに隣接した第１のセット部品と、
上記中央スクリーンと上記右側スクリーンとに隣接した第２のセット部品と、
第１と第２のセット部品のいずれかに配置され、スクリーン間の移動をより連続的にし、投影画像の位置合わせ不良による視差を隠す、少なくとも１つの３次元の小道具と、を有する３次元フィルムシアター。
【請求項２】
スクリーンとプロジェクタとの間に配置された、生の俳優、ショーのアクション用装置、及び特殊効果装置を載せるステージをさらに有する請求項１のシアター。
【請求項３】
スクリーンが凹状であることを特徴とする請求項１のシアター。
【請求項４】
セット部品上に配置された複数の小道具と、該小道具を隠したり出現させたりする手段とをさらに有する請求項１のシアター。
【請求項５】
プロジェクタは、直接スクリーン上に画像を直線状に投影することを特徴とする請求項１のシアター。
【請求項６】
スクリーンとプロジェクタとの間に配置された複数の座席をさらに有し、少なくとも一部の上記座席が３方向をスクリーンにより囲まれていることを特徴とする請求項１のシアター。
【請求項７】
第１のスクリーンと、
第２のスクリーンと、
上記第１と第２のスクリーンの間に配置されたセット部品と、
上記セット部品上に設けた第１の３次元の小道具と、
上記セット部品上に設けた第２の３次元の小道具と、
第１及び第２の小道具を出現させたり隠したりする手段とを有するシアター。
【請求項８】
プロジェクタと、該プロジェクタ及び出現させたり隠したりする手段に連結されたショーコントローラをさらに有する請求項７のシアター。
【請求項９】
上記出現させたり隠したりする手段は、アクチュエータにより支持されたパネルであることを特徴とする請求項７のシアター。
【請求項１０】
上記出現させたり隠したりする手段は、第１及び第２の小道具の少なくとも１つに連結されたアクチュエータを有することを特徴とする請求項７のシアター。
【請求項１１】
シアター用のスクリーンであって、
第１のスクリーン部分と、
上記第１のスクリーン部分に隣接したセット部品と、
上記セット部品に隣接した第２のスクリーン部分と、
上記セット部品上の３次元の劇用小道具と、
上記劇用小道具を出現させたり隠したりするアクチュエータとを有するスクリーン。
【発明の詳細な説明】
発明の背景
本発明は、３次元投影装置を有するシアターに関する。
３次元（３−Ｄ）フィルム投影装置は、当該分野でよく知られている。これらの装置は、左目と右目とが僅かに異なる角度で物体を見るということを利用している。脳において、２つの目によるこれら別個の知覚が結合され、深さとして認識される。３次元効果は、映画において種々の装置を用いることにより生み出され、これら装置の多くは、スクリーン上に左目用と右目用の画像を同時に投影する２つのプロジェクタを有する。観客は、これらの画像を適切に知覚するために、両眼用ビューイングフィルタを用いる。両眼用ビューイングフィルタにより、観客は、２次元画像が３次元空間に存在するかのように、２次元画像を見ることができる。その結果、画像は、スクリーンから観客に向かって飛び出すように見え、これにより、観客は映像をより楽しむことができる。
２次元（２−Ｄ）フィルムを見るためにマルチプル（複数の）フィルムプロジェクタ及びマルチプル投影スクリーンを利用することは、当該分野で知られている。一般に、観客にパノラマ効果を提供するために、複数の投影スクリーンが用いられる。パノラマ映画用のフィルムは、１つのカメラで得られるものよりかなり広範囲をカバーする、複数の独立したカメラにより得られる。続いて、マルチプルフィルムプロジェクタを使用する（プロジェクタの数は、独立したカメラの数に等しい。）。各プロジェクタは、フィルムの一部を別々の投影スクリーンに投影する。このようにして、観客は、映像内の要素が１つのスクリーンから隣のスクリーンに移動する錯覚を体験する。３Ｄフィルムの複雑性のため、これまでは、３Ｄフィルムをマルチプルスクリーンに投影することはできなかった。それ故に、改良した３Ｄフィルム用シアターが望まれている。
発明の概要
こうした目的のために、シアターは、観客の座る領域と、観客の座る領域に対向するステージを有する。投影スクリーンは、前方とステージの両側とに配置される。好適には、フィルムプロジェクタは、シアターの後方に配置される。フィルムプロジェクタは、３Ｄフィルムを３つの投影スクリーン上に同時に投影するのが有効である。３Ｄフィルムが３つの投影スクリーン上に同時に投影されている間、ステージ上やシアター内の別の色々な場所でライブアクションショーが行われてもよい。ライブアクションショーは、生の俳優と、ステージセットと、ショーのアクション用の装置と、霧効果、特殊照明、音響効果などの特殊効果装置とを有するのが最も望ましい。映像内のセットがステージセットと混ざって、広がりや深さ感覚を与え、その結果、観客がライブアクションショー内の本物の要素と、映像内の要素との区別ができなくなるのが有効である。
したがって、本発明は、改良された３Ｄフィルムシアターを提供するのが目的である。
【図面の簡単な説明】
図面において、同一の参照番号は、複数の図面にわたって同一の要素を示す。
図１は、本発明に係るシアターの平面図である。
図２は、シアターの前方領域の拡大平面図である。
図３は、図１に示すシアターの縮小平面図である。
図４は、投影角度を示す幾何学的構成である。
図５は、図１の５−５線に沿った正面図である。
好適な実施形態の詳細な説明
図１に示すように、シアター５は、シート９を有する観客座席用領域８に対向するステージ６を備える。ライブアクションショーがステージ及びシアター５の別の場所で行われるのが好ましい。ステージ６の後方には、中央投影スクリーン１０、右側投影スクリーン１２、及び左側投影スクリーン１４が配置される。３次元（３Ｄ）フィルムは、ライブアクションショーの間、これら投影スクリーン上に投影される。右側及び左側投影スクリーン（１２、１４）は、中央投影スクリーン１０に対し図３に示すような角度で配置されている。図１に示すように、一部のシートは、３方向をスクリーンによって囲まれている。好適な実施形態では、３つのスクリーンは、３Ｄ効果を最大にするために凹状である。両側のスクリーン及び中央スクリーンはそれぞれ、曲率が約９０〜１１０フィート及び８５〜１００フィートである半径Ｒ１及びＲ２を有するのが好適である。
劇用の円筒状セット部品１８が、中央投影スクリーン１０と、右側投影スクリーン１２との間及び左側投影スクリーン１４との間に配置されている。シアター５の後方には、投影室２０が配置されている。各投影室２０には、マルチプルフィルムプロジェクタ１６Ａ、１６Ｂ、１６Ｃが配置されている。図４に示すように、フィルムプロジェクタ１６Ａは、３Ｄフィルムの一部を中央投影スクリーン１０上に投影する。フィルムプロジェクタ１６Ｂは、３Ｄフィルムの別の一部を左側投影スクリーン１２上に投影する。フィルムプロジェクタ１６Ｃは、３Ｄフィルムの残りの部分を右側投影スクリーン１２上に投影する。中央プロジェクタ１６Ａから投影された画像は、サイドプロジェクタ１６Ｂ、１６Ｃから投影された画像と、セット部品１８上で接したりあるいは重なってもよい。このようにして、３Ｄ映像は、パノラマ式に観客に提供される。３Ｄ映像内の要素は、継ぎ目なく１つのスクリーンから隣のスクリーンに移動し、これにより、映像はよりリアルになる。
スクリーン間に設けられた、劇用の円筒状セット部品１８は、現実性を増すように、３Ｄ映像内の類似した要素と合うように設計される。例えば、図５に示すように、投影画像２１が例えば岩山の多い風景の画像である場合、セット部品１８の正面１９には、岩々や岩山の風景に見える３Ｄの小道具２３が設けられる。セットに適合した小道具２３は、スクリーン間の移動をより連続的にするのに役立つ。小道具２３はまた、投影画像の位置合わせ不良による視差を隠す効果もある。スクリーン上に投影される画像内の変化する風景に合わせて、異なる小道具２３すなわち風景を、隠したり出現させたりあるいは所定の位置に移動するために、セット部品１８は、アクチュエータ２７により移動するパネルすなわち外面２５を有するのが好適である。アクチュエータは、プロジェクタに連結されたショーコントローラにより制御され、その結果、セット部品１８上の小道具２３は、投影される画像と適当なタイミングをとって出現するようになっている。
図２及び図３に示すように、シアター５はまた、ライブアクションショーと３Ｄ映像とともに用いられる、ショーのアクション用の装置を有する。好適な実施形態では、ショーのアクション用装置は、ステージ６のトラック２２上を走るオートバイ２４を有する。ショーのアクション用装置はまた、座席領域８の両側に設けた台上に配置され、可倒式ターゲット２８を模造の拳銃で撃つロボット２６を有する。好適な実施形態では、ライブアクションショーの間に俳優が敵を撃退する場所として台３０を使用する。霧発生器３２、３４、３６などの特殊効果装置もまた、ライブアクションショー及び３Ｄ映像の魅力を高めるために用いられる。ショーコントローラ３８は、プロジェクタとセット部品の小道具とに同期させて、ショーのアクション用装置及び特殊効果装置を制御する。
本発明は、種々の修正及び別の形態が可能であるが、ここでは、特定の例について図面に示すとともに詳細に説明した。しかしながら、本発明は、開示された特定の形態や方法に限定されず、全ての修正例、等価物、及び代替物は、本発明の精神及び範囲内にあると考えられる。
【図１】
0004114956.tif 000002
【図２】
0004114956.tif 000003
【図３】
0004114956.tif 000004
【図４】
0004114956.tif 000005
【図５】
0004114956.tif 000006